(57)【要約】【課題】水溶性フィルムの洗浄による除去を必要としない水圧転写用シートを提供すること。【解決手段】水圧転写用シート（１０）は水溶性フィルム（１２）と、水溶性フィルム上に形成された絵柄印刷層（１４）とを含み、絵柄印刷層はこれに対する前記水溶性フィルムの剥離性を促進するための易剥離性インキを含む。他の水圧転写用シートは、水溶性フィルム（１２）と絵柄印刷層（１４）との間に形成された剥離剤層（１８）を備える。【選択図】図１
2008105259.tif 000002
【特許請求の範囲】
【請求項１】
水溶性フィルムと、該水溶性フィルム上に形成された絵柄印刷層とを含み、
前記絵柄印刷層は該絵柄印刷層に対する前記水溶性フィルムの剥離性を促進するための易剥離性インキを含む、水圧転写用シート。
【請求項２】
さらに、前記絵柄印刷層上に形成されたベタ刷り印刷層を含む、請求項１に記載の水圧転写用シート。
【請求項３】
さらに、前記ベタ刷り印刷層上に形成されたブロッキング防止層を含む、請求項２に記載の水圧転写用シート。
【請求項４】
水溶性フィルムと、該水溶性フィルム上に形成された剥離剤層と、該剥離剤層上に形成された絵柄印刷層とを含む、水圧転写用シート。
【請求項５】
さらに、前記絵柄印刷層上に形成されたベタ刷り印刷層を含む、請求項４に記載の水圧転写用シート。
【請求項６】
さらに、前記ベタ刷り印刷層上に形成されたブロッキング防止層を含む、請求項５に記載の水圧転写用シート。
【発明の詳細な説明】
【技術分野】
【０００１】
本発明は、水圧転写用シートに関する。
【背景技術】
【０００２】
従来、家具や建具、車両の内装品等からなる被転写物の表面、特に曲面からなる表面への印刷のために用いられる水圧転写用シートが提案されている（後記特許文献１参照）。
【０００３】
前記水圧転写用シートは水溶性フィルムと、該水溶性フィルム上に形成された印刷層とを有する。前記水圧転写用シートによれば、その水溶性フィルムを水につけた後、その印刷層に活性剤（接着助剤）を塗布し、前記被転写物の表面を前記印刷層に当てると、水圧により、前記印刷層が前記被転写物の表面に沿ってこれに接着する。前記水溶性フィルムはその後に行われる例えば水のジェット噴流による洗浄により除去され、その結果、前記印刷層のみが前記被転写物の表面に残り、これにより前記表面への転写、印刷がなされる。
【特許文献１】特公昭６０−５８７１８号公報
【０００４】
ところで、前記水溶性フィルムの洗浄による除去によって生じる水溶液は廃液として処理されるが、これには安全上及びコスト上の問題を伴う。
【０００５】
また、前記水溶性フィルムの洗浄時における水流によって前記印刷層の一部が剥げ落ち、このために前記被転写物に対する印刷効果が減じられる。
【０００６】
さらに、洗浄による前記水溶性フィルムの除去が完全でなく、このためにその一部が前記印刷層上に残留すると、耐候性の付与及び外観調整を目的として前記印刷層上に施される塗装の表面に凹凸が生じ、外観を損なうばかりでなく、塗装剥離の原因となる。
【発明の開示】
【発明が解決しようとする課題】
【０００７】
したがって、本発明の目的は、水溶性フィルムの洗浄による除去を必要としない水圧転写用シートを提供することにある。
【課題を解決するための手段】
【０００８】
本発明（第１発明）は、水圧転写用シートに係り、水溶性フィルムと、該水溶性フィルム上に形成された絵柄印刷層とを含み、前記絵柄印刷層は該絵柄印刷層に対する前記水溶性フィルムの剥離性を促進するための易剥離性インキを含む。
【０００９】
また、本発明（第２発明）は、水溶性フィルムと、該水溶性フィルム上に形成された剥離剤層と、該剥離剤層上に形成された絵柄印刷層とを含む。
【００１０】
前記水圧転写用シートは、さらに、前記絵柄印刷層上に形成されたベタ刷り印刷層を含むものとし、また、さらに、前記ベタ刷り印刷層上に形成されたブロッキング防止層を含むものとすることができる。
【発明の効果】
【００１１】
第１発明によれば、水溶性フィルムに形成された絵柄印刷層について、該絵柄印刷層に対する前記水溶性フィルムの剥離性を促進するための易剥離性インキを含むものとし、あるいは前記水溶性フィルムと前記絵柄印刷層との間に剥離剤層を設けたことから、被転写物への前記絵柄印刷層の水圧転写の後、前記水溶性フィルムを除去するのに、洗浄によらず、前記水溶性フィルムを乾燥させた後、これを絵柄印刷層又は前記剥離剤層から引き剥すことよって行うことができる。これには、前記洗浄による前記水溶性フィルムの除去に伴う廃液処理が不要であり、また前記絵柄印刷層の部分剥落とこれに伴う印刷効果の低減がなく、さらに耐候性の付与や外観調整を目的として前記絵柄印刷層に施される塗装の凹凸や外観毀損の発生が防止される。
【００１２】
前記絵柄印刷層にはその背景となる印刷層であるベタ刷り印刷層が形成されることがある。前記ベタ刷り印刷層が形成された水圧転写用シートにあっては、運搬や販売上の便宜のためにこれをロールに巻くときに前記水溶性フィルムと前記ベタ刷り印刷層との接触を阻むブロッキング層を形成することにより、前記ベタ塗り印刷層中の溶剤が有する粘着性による両者の接着現象とこれに伴う使用前における前記水溶性フィルムからの前記絵柄印刷層の剥離とを回避することができる。
【発明を実施するための最良の形態】
【００１３】
図１を参照すると、本発明の一実施例に係る水圧転写用シートが全体に符号１０で示されている。
【００１４】
この例の水圧転写用シート１０は、水溶性フィルム１２と、該水溶性フィルム上に形成された絵柄印刷層１４とを含む。絵柄印刷層１４はこれを水溶性フィルム１２上に印刷してなる。
【００１５】
水溶性フィルム１２は例えばポリビニルアルコールからなり、水圧転写用シート１０による被転写物への転写すなわち印刷のために水に漬けられると膨潤する性質を有する。
【００１６】
水溶性フィルム１２上に形成された絵柄印刷層１４は、前記被転写物への印刷の際、水溶性フィルム１２を水につけた後に活性剤（接着助剤）が塗布され、膨潤状態にされた水溶性フィルム１２が受ける水圧の下、前記被転写物の表面に沿ってこれに密着し、これに接着される。
【００１７】
必要に応じて、絵柄印刷層１４上にその背景となるベタ刷り印刷層１６が形成される。例えば、ベタ刷り印刷層１６と絵柄印刷層１４とはそれぞれ木目模様と導管模様とからなる。ベタ刷り印刷層１６が設けられるときは、前記活性剤が塗布されたベタ刷り印刷層１６が前記被転写物の表面に接着される。
【００１８】
なお、絵柄印刷層１４又はベタ刷り印刷層１６に塗布されこれに接着性を付与する前記活性剤は、メチルエチルケトン、酢酸エチル、エチルアルコール等からなる。
【００１９】
前記被転写物の表面への絵柄印刷層１４又はベタ刷り印刷層１６の接着後、水溶性フィルム１２が除去され、これにより前記被転写物の表面への印刷（転写）が完了する。
【００２０】
水溶性フィルム１２の除去は、前記膨潤状態にある水溶性フィルム１２を乾燥させた後、該水溶性フィルムを絵柄印刷層１４から引き剥がすことにより行う。水溶性フィルム１２の乾燥は、好ましくは、これに含まれる水分及び溶剤が発泡しないように４０〜５０℃の温度下で行う。
【００２１】
絵柄印刷層１４を構成する印刷インキは、乾燥された水溶性フィルム１２が絵柄印刷層１４から剥がれやすいようにするための易剥離性インキのみ、あるいは前記易剥離性インキと通常のインキとの混合物からなる。したがって、前記印刷インキは、水溶性フィルム１２の絵柄印刷層１４に対する剥離性を促進するための前記易剥離性インキを含む。
【００２２】
前記易剥離性インキとして、例えば塩ビ酢ビ共重合樹脂、アクリル樹脂、フッ素樹脂等、又はこれらの混合物を用いることができる。また、前記易剥離性インキとして、特にＵＶ樹脂（紫外線硬化樹脂）を用いることが可能である。前記ＵＶ樹脂を用いる場合、乾燥された水溶性フィルム１２に紫外線を照射することにより水溶性フィルム１２を剥離することができる。
【００２３】
絵柄印刷層１４が前記易剥離性インキを含むものとする図１に示す例に代えて、水溶性フィルム１２と絵柄印刷層１４との間に剥離剤層１８（図２）を介在させることができる。剥離剤層１８は、前記易剥離性インキと同様、塩ビ酢ビ共重合樹脂、アクリル樹脂、フッ素樹脂等、又はこれらの混合物からなる。図示の例では剥離剤層１８上に印刷により絵柄印刷層１４が形成されており、また剥離剤層１８は水溶性フィルム１２に対するより絵柄印刷層１４に対して強固に接着している。このため、乾燥後の水溶性フィルム１２の剥離剤層１８から引き剥がしが可能である。
【００２４】
絵柄印刷層１４又は剥離剤層１８に占める前記易剥離性インキの量、その種類等は、絵柄印刷層１４の印刷中に水溶性フィルム１２又は剥離剤層１８から印刷インキが剥がれず、しかも前記被転写物への印刷の後、乾燥された水溶性フィルム１２が剥離しやすいように、適宜選択される。
【００２５】
絵柄印刷層１４又は剥離剤層１８から引き剥がされた乾燥状態の水溶性フィルム１２は焼却処理することができ、このため従来行っていた前記水溶性フィルムの水洗浄に伴う問題の発生を回避することができる。
【００２６】
水溶性フィルム１２が引き剥がされた後、絵柄印刷層１４又は剥離剤層１８の表面にこれを保護するためのコート層（図示せず）が塗布される。
【００２７】
ところで、水圧転写用シート１０は使用前の取り扱いや運搬の便宜のためにロールに巻かれることがある。このとき、水溶性フィルム１２とベタ塗り印刷層１６とが接し、該ベタ塗り印刷層１６中のインキの溶剤が有する粘着力のために水溶性フィルム１２とベタ塗り印刷層１６とが互いに接着することがある（ブロッキング）。
【００２８】
したがって、使用のために水圧転写用シート１０のロールを解く際、水溶性フィルム１２とベタ塗り印刷層１６との接着力が比較的大きいときは、絵柄印刷層１４がその使用前に水溶性フィルム１２から剥離するおそれがある。
【００２９】
これを防止するため、ベタ刷り印刷層１６上にブロッキング防止層２０を形成することが望ましい。ブロッキング防止層２０は水圧転写用シート１０をロールに巻いたときの水溶性フィルム１２とベタ塗り印刷層１６との接触を断ち、水溶性フィルム１２とベタ塗り印刷層１６との相互接着を防止する。ブロッキング防止層２０は、例えばセルロース・アセテート・ブチレート（ＣＡＢ）のような高ガラス転移点（Ｔｇ点）樹脂を用いて形成することができる。
【図面の簡単な説明】
【００３０】
【図１】本発明の一例に係る水圧転写用シートの横断面図である。
【図２】本発明の他の例に係る水圧転写用シートの横断面図である。
【符号の説明】
【００３１】
１０  水圧転写用シート
１２  水溶性フィルム
１４  絵柄印刷層
１６  ベタ刷り印刷層
１８  剥離剤層
２０  ブロッキング防止層
【図１】
2008105259.tif 000003
【図２】
2008105259.tif 000004